(57)【特許請求の範囲】
【請求項１】
共通の回路を用いて、入力されたデジタル画像信号に対して電子ズーム処理を実行する電子ズーム処理モードと画素サイズを変換するための画素数変換を実行する画素変換処理モードとを適応的に実行できる信号処理手段と、
前記信号処理手段によって処理されたデジタル画像信号を記録媒体に記録する記録手段と、
前記信号処理手段によって処理されたデジタル画像信号を外部機器に出力する出力手段とを有し、
前記信号処理手段は、前記記録媒体にデジタル画像信号を記録する時に前記電子ズーム処理を実行でき、前記外部機器にデジタル画像信号を出力する時に前記画素変換処理モードを実行できることを特徴とする画像処理装置。
【請求項２】
共通の回路を用いて、入力されたデジタル画像信号に対して電子ズーム処理を実行する電子ズーム処理モードと画素サイズを変換するための画素数変換を実行する画素変換処理モードとを適応的に実行できる信号処理工程と、
前記信号処理工程で処理されたデジタル画像信号を記録媒体に記録する記録工程と、
前記信号処理工程で処理されたデジタル画像信号を外部機器に出力する出力工程とを有し、
前記信号処理工程では、前記記録媒体にデジタル画像信号を記録する時に前記電子ズーム処理を実行でき、前記外部機器にデジタル画像信号を出力する時に前記画素変換処理モードを実行できることを特徴とする画像処理方法。
【発明の詳細な説明】
【０００１】
【発明の属する技術分野】
本発明は画像処理装置及びその方法に関し、特にデジタル画像信号の電子ズーム及び画素変換処理に関する。
【０００２】
【従来の技術】
画像記録再生装置は、ビデオ信号を記録媒体に記録する記録手段と、記録媒体に記録されたビデオ信号を再生する再生手段とを備え、再生手段で再生されたビデオ信号は所定の規格、例えばＮＴＳＣ方式に対応するように出力先となるモニターなどの機器に出力される。
【０００３】
画像記録再生装置には、アナログビデオ信号の記録再生を行うものと、デジタルビデオ信号の記録再生を行うものとがある。
【０００４】
アナログビデオ信号の記録再生可能な画像記録再生装置から出力されるアナログビデオ信号をビデオプリンタでプリントするとき、ビデオプリンタでは、入力されたアナログビデオ信号をリサンプルすることによってＮＴＳＣの縦長画素を正方格子の画素に変換し、その変換された画素からなる画像データを内蔵している所定容量のフレームメモリに記憶し、そのフレームメモリに記憶された画像データに対し画像処理を行い、アナログビデオ信号が示す画像を転写材に形成する。このビデオプリンタが内蔵しているフレームメモリの容量は、例えば６４０×４８０画素分の容量からなる。
【０００５】
これに対し、デジタルビデオ信号の記録再生可能な画像記録再生装置から出力されるデジタルビデオ信号をプリントするときには、デジタルビデオ信号を入力するためのデジタルＩ／Ｆが設けられているビデオプリンタが用いられる。
【０００６】
このビデオプリンタでは、上述のアナログビデオ信号を入力するビデオプリンタと同様に、入力されたデジタルビデオ信号の縦長画素を正方格子の画素に変換するとともに、その画像データサイズを内蔵しているフレームメモリの容量に合わせた後に画像データをフレームメモリに記憶する。
【０００７】
このように、従来の画像記録再生装置からビデオ信号をビデオプリンタに出力するとき、ビデオプリンタでその特性に応じて画素変換などの処理を行うように設定されているから、画像記録再生装置においては、出力先のビデオプリンタの特性に応じて画素変換処理などが実行されない。
【０００８】
【発明が解決しようとする課題】
しかし、上述したように、従来の画像記録再生装置においては、ビデオプリンタなどの出力先の機器の特性に応じた画素変換処理が実行されないから、画像記録再生装置において出力先の機器の特性に応じた画素変換処理の実行が可能なよに設定する場合には、画素変換処理を実行するための手段を新たに搭載する必要があるから、コストの上昇を招くことになる。
【０００９】
本発明の目的は、コストの上昇を招くことなく、画素変換処理を行うことができ、使い勝手の良い画像処理装置及びその方法を提供することにある。
【００１０】
【課題を解決するための手段】
上記目的を達成するために本発明の画像処理装置は、共通の回路を用いて、入力されたデジタル画像信号に対して電子ズーム処理を実行する電子ズーム処理モードと画素サイズを変換するための画素数変換を実行する画素変換処理モードとを適応的に実行できる信号処理手段と、前記信号処理手段によって処理されたデジタル画像信号を記録媒体に記録する記録手段と、前記信号処理手段によって処理されたデジタル画像信号を外部機器に出力する出力手段とを有し、前記信号処理手段は、前記記録媒体にデジタル画像信号を記録する時に前記電子ズーム処理を実行でき、前記外部機器にデジタル画像信号を出力する時に前記画素変換処理モードを実行できることを特徴とする。
【００１１】
また、上記目的を達成するために本発明の画像処理方法は、共通の回路を用いて、入力されたデジタル画像信号に対して電子ズーム処理を実行する電子ズーム処理モードと画素サイズを変換するための画素数変換を実行する画素変換処理モードとを適応的に実行できる信号処理工程と、前記信号処理工程で処理されたデジタル画像信号を記録媒体に記録する記録工程と、前記信号処理工程で処理されたデジタル画像信号を外部機器に出力する出力工程とを有し、前記信号処理工程では、前記記録媒体にデジタル画像信号を記録する時に前記電子ズーム処理を実行でき、前記外部機器にデジタル画像信号を出力する時に前記画素変換処理モードを実行できることを特徴とする。
【００２１】
【発明の実施の形態】
以下に、本発明の実施の形態について図を参照しながら説明する。
【００２２】
図１は本発明のデジタル画像記録再生装置の実施の一形態の構成を示すブロック図である。
【００２３】
デジタル画像記録再生装置は、図１に示すように、ズーム動作が可能な光学系（図示せず）と、その光学系が捕えた被写体像を光電変換によって電気信号に変換するＣＣＤ（電荷結合素子）１０１を備える。光学系のズーム動作における最大倍率は、所定の倍率、例えば１２倍に設定されている。
【００２４】
ＣＣＤ１０１からの電気信号は、Ａ／Ｄ変換器（以下、Ａ／Ｄという）１０２でデジタルデータからなる画像データに変換される。Ａ／Ｄ１０２からの画像データは、選択スイッチ１０４に与えられる。
【００２５】
選択スイッチ１０４は、ＲＥＣ端子、ＰＢ端子の２つの入力端子と、１つの出力端子１０４ａとを有する。ＲＥＣ端子はＡ／Ｄ１０２の出力端に接続され、ＰＢ端子は、磁気テープなどの記録媒体に記録されている画像データを再生する再生系回路１１０の出力端に接続されている。出力端子１０４ａは、フレームメモリ１０６に接続されている。
【００２６】
フレームメモリ１０６は、所定の画素分の容量を有するメモリからなり、例えば、ＮＴＳＣ方式に対応する画像データに対し７２０×４８０画素分のメモリ容量が設定されている。
【００２７】
フレームメモリ１０６から読み出された画像データは、画像拡大縮小回路１０８に与えられる。画像拡大縮小回路１０８は、記録動作時にフレームメモリ１０６から読み出された画像データに対し拡大縮小処理（すなわち電子ズーム処理）を行い、再生動作時にフレームメモリ１０６から読み出された画像データに対し画素変換処理を行う。
【００２８】
記録動作時に行われる拡大縮小処理では、画像拡大率設定回路１０７で設定された拡大率に応じて拡大縮小処理を実行し、所定の画素数の画像データを出力する。例えばＮＴＳＣ方式の場合、出力される画像データは、７２０×４８０画素を有する１フレーム画像データからなる。
【００２９】
これに対し、再生動作時に行われる画素変換処理では、画像拡大率設定回路１０７で設定された拡大率に応じてフレームメモリ１０６から読み出された画像データの画素数を出力先の機器特性に適応する画素数に変換し、その画素数が変換された画像データを出力する。
【００３０】
画像拡大率設定回路１０７は、外部からの入力データに基づき画像拡大縮小回路１０８の拡大縮小処理、画素変換処理に対する拡大率を設定する。
【００３１】
画像拡大縮小回路１０８の拡大縮小処理に対する拡大率は、ユーザ操作によって設定されたズーム倍率に応じて設定される。
【００３２】
例えば、光学系ズームの最大倍率が１２倍であり、画像拡大縮小回路１０８の拡大縮小処理における最大拡大率が２４倍であるとし、ズーム倍率が光学系ズームの最大倍率１２倍以下の値に設定されていると、画像拡大縮小回路１０８の拡大縮小処理に対する拡大率として、縦拡大率が１倍に、横拡大率が１倍にそれぞれ設定される。すなわち、設定された倍率は光学系のズーム動作によって得られる倍率に等しくなる。
【００３３】
これに対し、倍率ｘが光学系ズームの最大倍率１２倍から２４倍の範囲内に値に設定される場合、画像拡大縮小回路１０８の拡大縮小処理に対する縦、横それぞれの拡大率ｍは設定倍率ｎに基づき次式（１）から求められる。
【００３４】
ｍ＝ｎ／１２                                              …（１）
例えば、倍率ｘが２４倍に設定されると、画像拡大縮小回路１０８の拡大縮小処理に対する拡大率として、縦拡大率が２倍に、横拡大率が２倍にそれぞれ設定される。
【００３５】
画像拡大縮小回路１０８の画素変換処理に対する拡大率として、フレームメモリ１０６から読み出された画像データの画素数がユーザによって選択された出力先の機器に対応する画素数になるように、縦、横の拡大率が設定される。この拡大率の設定では、例えば、ＲＯＭなどの記憶装置に、出力先の機器とその機器に対応する画素サイズとを対応付けたテーブルを予め格納し、このテーブルに記述されている出力先の機器をメニュー画面上で選択することによって出力先の機器に対応する画素サイズをテーブルから読み込み、この画素サイズに基づき縦、横の拡大率をそれぞれ決定する。
【００３６】
画像拡大縮小回路１０８からの画像データは、選択スイッチ１０５に与えられる。選択スイッチ１０５は、１つの入力端子１０５ａと、ＲＥＣ端子、ＰＢ端子の２つの出力端子とを有する。ＲＥＣ端子は記録系回路１０９の入力端に接続され、ＰＢ端子はデジタルＩ／Ｆ（デジタルインタフェイス）１１１の入力端に接続されている。
【００３７】
記録系回路１０９は、選択スイッチ１０５を介して入力された画像データを磁気テープなどの記録媒体にデジタル記録する。
【００３８】
デジタルＩ／Ｆ１１１は、選択スイッチ１０５を介して入力された画像データを出力先の機器に供給するためのインタフェイスからなり、その出力端は出力先の機器に接続される。
【００３９】
各選択スイッチ１０４，１０５の切換動作は、制御回路（図示せず）から動作モード入力端子１０３を介して入力された制御信号に基づき制御される。動作モードが記録モードに設定されているとき、各選択スイッチ１０４，１０５は、制御信号に基づきＲＥＣ端子をそれぞれ選択し、動作モードが再生モードに設定されているとき、各選択スイッチ１０４，１０５は、制御信号に基づきＰＢ端子をそれぞれ選択する。
【００４０】
次に、画像拡大縮小回路１０８の構成について図２を参照しながら説明する。図２は図１のデジタル画像記録再生装置に設けられている画像拡大縮小回路の構成を示すブロック図である。
【００４１】
画像拡大縮小回路１０８は、図２に示すように、画像拡大率設定回路１０７で設定された縦拡大率を入力するための入力端子３０１と、画像拡大率設定回路１０７で設定された横拡大率を入力するための入力端子３０２とを有する。
【００４２】
入力端子３０１に入力された縦拡大率は、縦出力サイズ設定回路３０３、読出開始ｙアドレス設定回路３０５およびアドレス変換回路３０８に与えらえる。入力端子３０２に入力された横拡大率は、横出力サイズ設定回路３０４、読出開始ｘアドレス設定回路３０６およびアドレス変換回路３０８に与えらえる。
【００４３】
縦出力サイズ設定回路３０３は、記録動作時、次式（２），（３）に基づき縦出力サイズを設定する。
【００４４】
縦拡大率≧１、縦出力サイズ＝４８０                        …（２）
縦拡大率＜１、縦出力サイズ＝４８０×縦拡大率              …（３）
横出力サイズ設定回路３０４は、記録動作時、次式（４），（５）に基づき横出力サイズを設定する。
【００４５】
横拡大率≧１、横出力サイズ＝７２０                        …（４）
横拡大率＜１、横出力サイズ＝７２０×横拡大率              …（５）
読出開始ｙアドレス設定回路３０５は、記録動作時、次式（６），（７）に基づき読出開始ｙアドレスを設定する。
【００４６】
縦拡大率≦１、開始ｙアドレス＝０                          …（６）
縦拡大率＞１、
開始ｙアドレス＝（４８０−４８０／縦拡大率）／２          …（７）
読出開始ｘアドレス設定回路３０６は、記録動作時、次式（８），（９）に基づき読出開始ｘアドレスを設定する。
【００４７】
横拡大率≦１、開始ｘアドレス＝０                          …（８）
横拡大率＞１、
開始ｘアドレス＝（７２０−７２０／横拡大率）／２          …（９）
これに対し、再生動作時においては、上述の（２）〜（９）の各式に基づき設定される縦出力サイズ設定回路３０３、読出開始ｙアドレス設定回路３０５、横出力サイズ設定回路３０４および読出開始ｘアドレス設定回路３０６の各設定データは以下のようになる。なお、以下の各設定データは、ＮＴＳＣ方式の画像データから６４０×４８０画素の画像データへの変換に用いられるデータであり、かつ縦拡大率１倍、横拡大率（６４０／７２０）倍がそれぞれ設定されている条件下で設定されたデータである。
【００４８】
縦出力サイズ＝４８０
横出力サイズ＝６４０
開始ｙアドレス＝０
開始ｘアドレス＝０
縦出力サイズ設定回路３０５からの縦出力サイズ、および横出力サイズ設定回路３０６からの横出力サイズは、ｘｙカウンタ３０７に与えられる。ｘｙカウンタ３０７は、ｘカウンタとｙカウンタとを内蔵し、各カウンタのカウンタ値は、出力する画像のｘ，ｙアドレスをそれぞれ示す。
【００４９】
初期時、各カウンタの値は初期値０に設定されている。次いで、ｘカウンタのカウンタ値＜横出力サイズの関係式を満足する間、ｘカウンタのカウントアップ動作が行われ、ｘカウンタのカウンタ値とｙカウンタのカウンタ値とが出力される。ｘカウンタのカウンタ値＝横出力サイズの関係式を満足すると、ｘカウンタのカウンタ値が０に設定され、ｘカウンタのカウンタ値とｙカウンタのカウンタ値とが出力される。ｙカウンタのカウンタ値＝縦出力サイズの関係式を満足すると、ｙカウンタのカウンタ値が０に設定され、ｘカウンタ、ｙカウンタは初期状態に戻される。
【００５０】
ｘｙカウンタ３０７からの各ｘ，ｙアドレスをそれぞれ示すカウンタ値は、アドレス変換回路３０８に与えられる。アドレス変換回路３０８は、ｘｙカウンタ３０７からの各カウンタ値とともに、読出開始ｙアドレス設定回路３０５からの開始ｙアドレス、読出開始ｘアドレス設定回路３０６からの開始ｘアドレス、入力端子３０１に入力された縦拡大率および入力端子３０２に入力された横拡大率に基づきが与えられる。アドレス変換回路３０８は、読出開始ｙアドレス設定回路３０５からの開始ｙアドレス、読出開始ｘアドレス設定回路３０６からの開始ｘアドレス、入力端子３０１に入力された縦拡大率および入力端子３０２に入力された横拡大率に基づき、ｘｙカウンタ３０７からの各カウンタ値が示すｘ，ｙアドレスを変換することによって、出力画像の画素アドレスに対応するフレームメモリ１０６上の画素アドレスを算出する。この算出された画素アドレスは、線形補間回路３０９に与えられる。
【００５１】
線形補間回路３０９は、入力されたアドレスデータに基づき出力端子３１０からアドレス制御信号を出力し、入力端子３１１からフレームメモリ１０６の画素データを読み込む。読み込まれた画素データに基づき線形補間が行われ、その線形補間によって得られた画素データが出力画素データとして出力端子３１２から出力される。
【００５２】
次に、画像拡大縮小回路１０８の動作について図３を参照しながら説明する。図３は図１のデジタル画像再生記録装置に設けられている画像拡大縮小回路の動作を説明するための画素配置の模式図である。本図では、フレームメモリにおけるＮＴＳＣ方式の画像データを画面上の画素配置に対応付けて模式的に表している。
【００５３】
画像拡大縮小回路１０８では、記録動作時に、例えば縦拡大率がａ倍に、横拡大率がｂ倍に設定されていると、図３の斜線部分の画素データをフレームメモリ１０６から読み出し、所定の倍率で拡大処理（すなわち電子ズーム処理）を行い、所定の画素数７２０×４８０の画像を出力する。この斜線部分の左上点の座標は、開始ｘアドレス、開始ｙアドレスによって求められる。
【００５４】
これに対し、拡大率が１倍に設定されているとき、フレームメモリ１０６の画像データが出力画像データとして出力される。
【００５５】
再生動作時には、ＮＴＳＣ方式の画像データを出力先の機器の特性応じた画素数の画像データに変換する画素変換処理を行う。例えば、上述したように、出力先の機器が６４０×４８０画素容量のフレームメモリを内蔵するビデオプリンタであるとき、上述したように、縦拡大率１倍、横拡大率（６４０／７２０）倍がそれぞれ設定されている条件下でＮＴＳＣ方式の画像データから６４０×４８０画素の画像データへの変換が行われる。
【００５６】
次に、アドレス変換回路３０８の動作と線形補間回路３０９の動作とを図４と図５とを参照しながら具体的に説明する。図４は図２の画像拡大縮小回路に設けられているアドレス変換回路の動作を説明するための画素配置の模式図であり、図４（ａ）はフレームメモリにおけるＮＴＳＣ方式の画像データの画素配置を模式的に示す図、図４（ｂ）は図４（ａ）の斜線部分を拡大して得られた画像の画素配置を模式的に示す図である。図５は図２の画像拡大縮小回路に設けられている線形補間回路の動作を説明するための画素配置の模式図である。
【００５７】
まず、アドレス変換回路３０８の記録時における動作について説明する。
【００５８】
図４（ｂ）中のＰのアドレスを（ｘ，ｙ）とすると、Ｐのアドレスに対応するフレームメモリ１０６上のアドレスは、Ｐ´のアドレス（ｘ´，ｙ´）となる。このＰ´のアドレス（ｘ´，ｙ´）は、次式（１０）、（１１）に基づき求められる。
【００５９】
ｘ´＝読出開始ｘアドレス＋ｘ／横拡大率                  …（１０）
ｙ´＝読出開始ｙアドレス＋ｘ／縦拡大率                  …（１１）
ここで求められるｘ´，ｙ´の各アドレスは、一般に整数値とならないから、フレームメモリ１０６上の対応する画素をｘ´，ｙ´の各アドレスで一意的に特定することができないことになる。
【００６０】
同様に、再生動作時において、上述の各式（１０），（１１）に基づきアドレスの算出が行われる。また、拡大率が１より小さいとき（縮小時）、同様に、上述の各式（１０），（１１）に基づきアドレスの算出が行われる。
【００６１】
よって、線形補間回路３０９において、フレームメモリ１０６上の対応する画素を特定するための線形補間が行われる。
【００６２】
次に、線形補間回路３０９の記録または再生時における動作について説明する。本説明では、４画素を用いる線形補間の例を示し、線形補間回路３０９の記録または再生時における動作は共通である。
【００６３】
図５中のＰ´を図４（ａ）中のＰ´とし、Ｐ１，Ｐ２，Ｐ３，Ｐ４をそれぞれＰ´に最も近いアドレスを有する、フレームメモリ１０６上に実在する画素であるとすると、Ｐ１のアドレスとＰ´のアドレスとのｘ方向の差分はｄｘで、ｙ方向の差分はｄｙで表される。なお、各差分ｄｘ，ｄｙは、それぞれ以下の関係式を満足する。
【００６４】
０≦ｄｘ＜１
０≦ｄｙ＜１
線形補間回路３０９では、Ｐ１，Ｐ２，Ｐ３，Ｐ４のそれぞれに対応するアドレスを出力端子３１０からフレームメモリ１０６へ出力し、対応する画素データを入力端子３１１から取り込む。取り込まれた画素データの値をそれぞれｐ１´、ｐ２´、ｐ３´、ｐ４´とし、Ｐ´の値をｐ´とすると、ｐ´は次式（１２）で求められる。
【００６５】
ｐ´＝（１−ｄｘ）｛ｐ１×（１−ｄｙ）＋ｐ３×ｄｙ）＋ｄｘ｛ｐ２×（１−ｄｙ）＋ｐ４×ｄｙ）            …（１２）
次に、デジタル画像記録再生装置の記録動作について説明する。
【００６６】
記録動作時、まず、動作モードが記録モードに設定される。この記録モード設定に伴い、各選択スイッチ１０４，１０５は、制御回路からの制御信号に基づきＲＥＣ端子をそれぞれ選択する。
【００６７】
次いで、ユーザ操作によってズーム倍率が設定され、画像拡大縮小回路１０８の拡大縮小処理に対する拡大率が画像拡大率設定回路１０７でズーム倍率に応じて設定される。
【００６８】
ＣＣＤ１０１の電気信号はＡ／Ｄ１０２で画像データに変換され、その画像データは１フレーム分毎にフレームメモリ１０６に格納される。フレームメモリ１０６に格納された１フレーム分の画像データは順次に読み出され、読み出された画像データは、画像拡大縮小回路１０８に与えられる。
【００６９】
画像拡大縮小回路１０８は、フレームメモリ１０６から読み出された画像データに対し拡大縮小処理を行う。この拡大縮小処理では、上述したように、画像拡大率設定回路１０７で設定された拡大率に応じて拡大縮小処理を実行し、すなわち必要に応じて電子ズーム処理を実行し、所定の画素数（例えば７２０×４８０画素）の画像データを出力する。
【００７０】
画像拡大縮小回路１０８からの画像データは、ＲＥＣ端子を選択した選択スイッチ１０５を介して記録系回路１０９に与えられ、記録系回路１０９は、入力された画像データを磁気テープなどの記録媒体にデジタル記録する。
【００７１】
次に、再生動作について説明する。本説明では、再生した画像を、デジタルＩ／Ｆと６４０×４８０画素分のフレームメモリを備えたビデオプリンタでプリントする例を示す。
【００７２】
まず、動作モードが再生モードに設定される。このモード設定に伴い各選択スイッチ１０４，１０５は、制御信号に基づきＰＢ端子をそれぞれ選択する。
【００７３】
画像拡大率設定回路１０７では、画像拡大縮小回路１０８の画素変換処理に対する拡大率を設定する。この画素変換処理に対する拡大率として、フレームメモリ１０６から読み出された画像データの画素数がユーザによって選択されたビデオプリンタに対応する画素数になるように、縦、横の拡大率が設定される。具体的には、上述したように、再生系回路１１０で再生された画像データは１フレーム分毎にフレームメモリ１０６に格納される。フレームメモリ１０６に格納された１フレーム分の画像データは順次に読み出され、読み出された画像データは、画像拡大縮小回路１０８に与えられる。
【００７４】
画像拡大縮小回路１０８は、フレームメモリ１０６から読み出された画像データに対し画素変換処理を行う。この画素変換処理では、画像拡大率設定回路１０７で設定された拡大率に応じてフレームメモリ１０６から読み出された画像データの画素数をビデオプリンタに適応する画素数（６４０×４８０）に変換し、その画素数が変換された画像データは選択スイッチ１０５を介してデジタルＩ／Ｆ１１１に出力される。
【００７５】
デジタルＩ／Ｆ１１１は、入力された画像データをビデオプリンタに供給し、ビデオプリンタは、入力された画像データに対する画素変換処理を行うことなく、入力された画像データを転写材に形成することができる。
【００７６】
以上により、画像拡大縮小回路１０８を記録時、再生時に共用する構成とすることによって、１つの回路で画像拡大処理（電子ズーム処理）、画素変換処理を行うことができ、記録再生システムを安価に構築することができる。
【００７７】
【発明の効果】
以上説明したように、本発明によれば、共通の回路により電子ズーム処理と画素サイズを変換するための画素数変換処理を適応的に実行できるので、それぞれの処理のための回路を別々に設ける必要がなく、回路コスト及び回路規模を削減することができる。
【００７８】
また、記録媒体にデジタル画像信号を記録する時に電子ズーム処理を実行でき、外部機器にデジタル画像信号を出力する時に前記画素変換処理モードを実行できるので、処理モードの選択操作に手間が掛からず、ユーザーにとって大変使い勝手の良いものとなる。
【図面の簡単な説明】
【図１】本発明のデジタル画像記録再生装置の実施の一形態の構成を示すブロック図である。
【図２】図１のデジタル画像記録再生装置に設けられている画像拡大縮小回路の構成を示すブロック図である。
【図３】図１のデジタル画像再生記録装置に設けられている画像拡大縮小回路の動作を説明するための画素配置の模式図である。
【図４】図２の画像拡大縮小回路に設けられているアドレス変換回路の動作を説明するための画素配置の模式図である。
【図５】図２の画像拡大縮小回路に設けられている線形補間回路の動作を説明するための画素配置の模式図である。
【符号の説明】
１０１  ＣＣＤ（撮像手段）
１０４，１０５  選択スイッチ
１０６  フレームメモリ
１０７  画像拡大率設定回路
１０８  画像拡大縮小回路（画像拡大縮小手段）
１０９  記録系回路
１１０  再生系回路
１１１  デジタルＩ／Ｆ（接続手段）
【図１】
0003581443.tif 000002
【図２】
0003581443.tif 000003
【図３】
0003581443.tif 000004
【図４】
0003581443.tif 000005
【図５】
0003581443.tif 000006